(57)【特許請求の範囲】
【請求項１】
下端に下端鍔を配置する巻軸部を有するとともに、前記巻軸部の軸方向に貫通孔を有したボビンと、前記ボビンの巻軸部に巻回した第１巻線および２次巻線と、前記貫通孔に中脚部を挿入するとともに、前記中脚部に対向する外脚部を背脚部で連接した磁芯と、前記１次巻線および前記２次巻線の引き出し線と電気的接続するとともに、前記ボビンの下端鍔の一方の側面および他方の側面にそれぞれ複数個植設した１次巻線用端子および２次巻線用端子とを備え、前記下端鍔の下面には前記磁芯の前記背脚部の位置決めをする位置決め壁を設けるとともに、前記位置決め壁間に前記磁芯の前記背脚部を配置し、前記ボビンの前記下端鍔の側面中央部に植設された隣接する２つの最内側端子間に、前記下端鍔を側面方向から分断する溝部を設けるとともに、前記溝部から前記下端鍔の側面端部に向かって高さが低くなる階段状の段差部を前記下端鍔の下面に設け、前記段差部は前記巻軸部側から前記下端鍔の前記側面端部側に向かってテーパ部を有し、前記溝部内から前記段差部上に前記引き出し線を引き廻すとともに前記段差部に係止し、隣接する引き出し線とは互いに段差を生じさせたコイル部品。
【請求項２】
最内側端子と引き出し線とは、前記最内側端子間から前記引き出し線を引き廻して接続するとともに、最外側端子と引き出し線とは、前記最外側端子の外側から前記引き出し線を引き廻して接続した請求項１記載のコイル部品。
【請求項３】
巻軸部は円筒形状にするとともに、前記巻軸部の外周面に沿うように磁芯の外脚部の断面形状を円弧形状にした請求項１記載のコイル部品。
【請求項４】
外脚部の角部にテーパ部を設けた請求項３記載のコイル部品。
【発明の詳細な説明】
【０００１】
【発明の属する技術分野】
本発明は各種情報通信用の伝送線に接続して用いられる信号伝達用のコイル部品に関するものである。
【０００２】
【従来の技術】
以下、従来のコイル部品について図面を参照しながら説明する。
【０００３】
図６は従来のコイル部品の斜視部、図７は同コイル部品の分解斜視図である。
【０００４】
図６、図７において、従来のコイル部品は、下端に下端鍔１を配置する巻軸部２を有するとともに、巻軸部２の軸方向に貫通孔３を有したボビン４と、ボビン４の巻軸部２に巻回した１次巻線５ａ（図示せず）および２次巻線５ｂと、貫通孔３に中脚部６を挿入するとともに、中脚部６に対向する外脚部７を背脚部８で連接した磁芯９と、ボビン４の下端鍔１の側面に複数個植設するとともに、１次巻線５ａおよび２次巻線５ｂの引き出し線１０と電気的接続した端子１１とを備えた構成である。
【０００５】
そして、図８に示すように、コイル部品１２は電話線等の情報通信用の伝送線１３に接続されるとともに、負荷回路１４と接続されている。
【０００６】
【発明が解決しようとする課題】
一般的に電話線等の伝送線に接続されるコイル部品では、伝送特性を向上するために、漏れインダクタンスを低減させる必要があるとともに、１次巻線および２次巻線との絶縁を的確に図る必要がある。
【０００７】
上記構成では、１次巻線５ａおよび２次巻線５ｂとが、活電部なる磁芯９を介して、短絡しやすく、１次巻線５ａと２次巻線５ｂとの的確な絶縁を図ることができないという問題点を有していた。
【０００８】
本発明は上記問題点を解決するもので、１次巻線と２次巻線との絶縁を的確に図ったコイル部品を提供することを目的としている。
【０００９】
【課題を解決するための手段】
上記目的を達成するために本発明の請求項１記載の発明は、特に、下端鍔の下面には磁芯の背脚部の位置決めをする位置決め壁を設けるとともに、前記位置決め壁間に前記磁芯の前記背脚部を配置し、ボビンの前記下端鍔の側面中央部に植設された隣接する２つの最内側端子間に、前記下端鍔を側面方向から分断する溝部を設けるとともに、前記溝部から前記下端鍔の側面端部に向かって高さが低くなる階段状の段差部を前記下端鍔の下面に設け、前記段差部は前記巻軸部側から前記下端鍔の前記側面端部側に向かってテーパ部を有し、前記溝部内から前記段差部上に前記引き出し線を引き廻すとともに前記段差部に係止し、隣接する引き出し線とは互いに段差を生じさせた構成である。
【００１０】
上記構成により、１次巻線の引き出し線は下端鍔の一方の側面に植設された端子に電気的接続され、２次巻線の引き出し線は下端鍔の他方の側面に植設された端子に電気的接続され、かつ、１次巻線および２次巻線の引き出し線は磁芯から最も離れた箇所を引き廻されるので、活電部である磁芯が１次巻線および２次巻線の近傍に位置していても、１次巻線と２次巻線とを的確に絶縁することができる。
【００１１】
さらに、１次巻線および２次巻線の引き出し線が複数あっても、互いの引き出し線は段差部によって、互いに段差が生じ、引き出し線を引き廻して段差部に係止しているので引き出し線の位置決めができ、１次巻線および２次巻線の引き出し線と１次巻線用端子および２次巻線用端子とを半田接続する際に、互いの引き出し線間に半田ブリッジが形成されにくく、半田接続における信頼性を向上でき、段差部は巻軸部側から下端鍔の側面端部側に向かってテーパ部を設けていることから、引き出し線に張力が生じにくく、断線等を防止できる。
【００１２】
本発明の請求項２記載の発明は、請求項１記載の発明において、特に、最内側端子と引き出し線とは、前記最内側端子間から前記引き出し線を引き廻して接続するとともに、最外側端子と引き出し線とは、前記最外側端子の外側から前記引き出し線を引き廻して接続した構成である。
【００１３】
上記構成により、互いに引き出し線がより離れるので、互いの引き出し線間に半田ブリッジが形成されにくく、半田接続における信頼性を向上できる。
【００１４】
本発明の請求項３記載の発明は、請求項１記載の発明において、特に、巻軸部は円筒形状にするとともに、前記巻軸部の外周面に沿うように磁芯の外脚部の断面形状を円弧形状にした構成である。
【００１５】
上記構成により、磁芯と１次巻線および２次巻線との結合度を高めることができる。
【００１６】
本発明の請求項４記載の発明は、請求項３記載の発明において、特に、外脚部の角部にテーパ部を設けた構成である。
【００１７】
上記構成により、下端鍔の溝部に引き廻された引き出し線と磁芯との距離を離すことができ、活電部である磁芯を介して、１次巻線と２次巻線とが短絡することを防止し、１次巻線と２次巻線との絶縁を的確に図ることができる。
【００１８】
【発明の実施の形態】
（実施の形態）
以下、実施の形態を用いて、本発明の全請求項について図面を参照しながら説明する。
【００１９】
図１は本発明の一実施の形態におけるコイル部品の下面の斜視図、図２は同コイル部品の分解斜視図、図３は同コイル部品の斜視図、図４は同コイル部品の下面の拡大斜視図である。
【００２０】
図１〜図４において、本発明の一実施の形態におけるコイル部品は、下端に下端鍔２１を配置する巻軸部２２を有するとともに、この巻軸部２２の軸方向に貫通孔２３を有したボビン２４と、このボビン２４の巻軸部２２に巻回した１次巻線２５ａおよび２次巻線２５ｂと、貫通孔２３に中脚部２６を挿入するとともに、この中脚部２６に対向する外脚部２７を背脚部２８で連接した磁芯２９と、１次巻線２５ａおよび２次巻線２５ｂの引き出し線３０と電気的接続するとともに、ボビン２４の下端鍔２１の一方の側面および他方の側面にそれぞれ複数個植設した１次巻線用端子３１および２次巻線用端子３２とを備えている。
【００２１】
また、巻軸部２２は円筒形状にし、磁芯２９は巻軸部２２の外周面に沿うように外脚部２７の断面形状を円弧形状にするとともに、外脚部２７の角部にはテーパ部３３を設けている。
【００２２】
さらに、下端鍔２１の下面には磁芯２９の背脚部２８の位置決めをする位置決め壁３４を設けるとともに、位置決め壁３４間に磁芯２９の背脚部２８を配置し、ボビン２４の下端鍔２１の側面中央部に植設された隣接する２つの最内側端子間に、下端鍔２１を側面方向から分断する溝部３５を設けている。
【００２３】
特に、溝部３５から下端鍔２１の側面端部に向かって高さが低くなる階段状であって、巻軸部２２側から下端鍔の側面端部側に向かってテーパ部３７を有した段差部３６を下端鍔２１の下面に設け、溝部３５内から段差部３６上に引き出し線３０を引き廻して段差部３６に係止するとともに、隣接する引き出し線３０とは互いに段差を生じさせている。
【００２４】
その上、１次巻線用端子３１または２次巻線用端子３２の最内側端子と引き出し線３０とは、最内側端子間から引き出し線３０を引き廻して接続するとともに、最外側端子と引き出し線３０とし、１次巻線用端子３１または２次巻線用端子３２の最外側端子の外側から引き出し線３０を引き廻して接続している。
【００２５】
そして、図５に示すように、コイル部品３８は電話線等の情報通信用の伝送線３９に接続されるとともに、負荷回路４０と接続されている。
【００２６】
上記構成により、１次巻線２５ａの引き出し線３０は下端鍔２１の一方の側面に植設された端子３１に電気的接続され、２次巻線２５ｂの引き出し線３０は下端鍔２１の他方の側面に植設された端子３２に電気的接続され、かつ、１次巻線２５ａおよび２次巻線２５ｂの引き出し線３０は磁芯２９から最も離れた箇所を引き廻されるので、活電部である磁芯２９が１次巻線２５ａおよび２次巻線２５ｂの近傍に位置していても、１次巻線２５ａと２次巻線２５ｂとを的確に絶縁することができる。
【００２７】
さらに、１次巻線２５ａおよび２次巻線２５ｂの引き出し線３０が複数あっても、互いの引き出し線３０は段差部３６によって、互いに段差が生じるので、１次巻線２５ａおよび２次巻線２５ｂの引き出し線３０と１次巻線用端子３１および２次巻線用端子３２とを半田接続する際に、互いの引き出し線３０間に半田ブリッジが形成されにくく、半田接続における信頼性を向上できる。
【００２８】
このとき、段差部３６は、巻軸部２２側から下端鍔２１の側面端部側に向かってテーパ部３７を設けているので、引き出し線３０の引き廻しを容易にするとともに、引き出し線３０に張力が生じにくく、断線等を防止できる。
【００２９】
また、引き出し線３０は段差部３６に係止しているので、引き出し線３０の位置決めができ、的確に半田ブリッジの発生を防止して、半田接続における信頼性を向上できる。
【００３０】
特に、最内側端子と引き出し線３０とは、最内側端子間から引き出し線３０を引き廻して接続するとともに、最外側端子と引き出し線３０とは、最外側端子の外側から引き出し線３０を引き廻して接続しているので、互いの引き出し線３０がより離れ、より半田ブリッジが形成されにくくなり、半田接続における信頼性を向上できる。
【００３１】
さらに、巻軸部２２は円筒形状にし、巻軸部２２の外周面に沿うように磁芯２９の外脚部２７の断面形状を円弧形状にするとともに、外脚部２７の角部にテーパ部３３を設けているので、磁芯２９と１次巻線２５ａおよび２次巻線２５ｂとの結合度を高めることができるとともに、下端鍔２１の溝部３５に引き廻された引き出し線３０と磁芯２９との距離が離れ、活電部である磁芯２９を介して、１次巻線２５ａと２次巻線２５ｂとが短絡することを防止、１次巻線２５ａと２次巻線２５ｂとの絶縁を的確に図ることができる。
【００３２】
このように本発明の一実施の形態によれば、活電部である磁芯２９が１次巻線２５ａおよび２次巻線２５ｂの近傍に位置していても、１次巻線２５ａと２次巻線２５ｂとを的確に絶縁することができるとともに、１次巻線２５ａ、２次巻線２５ｂの引き出し線３０の断線等を防止しつつ、互いの引き出し線３０間に半田ブリッジが形成されにくく、半田接続における信頼性を向上できる。
【００３３】
【発明の効果】
以上のように本発明によれば、１次巻線の引き出し線は下端鍔の一方の側面に植設された端子に電気的接続され、２次巻線の引き出し線は下端鍔の他方の側面に植設された端子に電気的接続され、かつ、１次巻線および２次巻線の引き出し線は磁芯から最も離れた箇所を引き廻されるので、活電部である磁芯が１次巻線および２次巻線の近傍に位置していても、１次巻線と２次巻線とを的確に絶縁することができる。
【００３４】
さらに、１次巻線および２次巻線の引き出し線が複数あっても、互いの引き出し線は段差部によって、互いに段差が生じ、引き出し線を引き廻して段差部に係止しているので引き出し線の位置決めができ、１次巻線および２次巻線の引き出し線と１次巻線用端子および２次巻線用端子とを半田接続する際に、互いの引き出し線間に半田ブリッジが形成されにくく、半田接続における信頼性を向上でき、段差部は巻軸部側から下端鍔の側面端部側に向かってテーパ部を設けていることから、引き出し線に張力が生じにくく、断線等を防止できる。
【００３５】
この結果、半田接続における信頼性を向上しつつ、１次巻線と２次巻線との絶縁を的確に図ったコイル部品を提供することができる。
【図面の簡単な説明】
【図１】  本発明の一実施の形態におけるコイル部品の下面の斜視図
【図２】  同コイル部品の分解斜視図
【図３】  同コイル部品の斜視図
【図４】  同コイル部品の下面の拡大斜視図
【図５】  伝送線と負荷回路とに同コイル部品が接続された状態を示す回路図
【図６】  従来のコイル部品の斜視図
【図７】  同コイル部品の分解斜視図
【図８】  伝送線と負荷回路とに同コイル部品が接続された状態を示す回路図
【符号の説明】
２１  下端鍔
２２  巻軸部
２３  貫通孔
２４  ボビン
２５ａ  １次巻線
２５ｂ  ２次巻線
２６  中脚部
２７  外脚部
２８  背脚部
２９  磁芯
３０  引き出し線
３１  １次巻線用端子
３２  ２次巻線用端子
３３  テーパ部
３４  位置決め壁
３５  溝部
３６  段差部
３７  テーパ部
３８  コイル部品
３９  伝送線
４０  負荷回路
【図１】
0003928368.tif 000002
【図２】
0003928368.tif 000003
【図３】
0003928368.tif 000004
【図４】
0003928368.tif 000005
【図５】
0003928368.tif 000006
【図６】
0003928368.tif 000007
【図７】
0003928368.tif 000008
【図８】
0003928368.tif 000009